(57)【特許請求の範囲】
【請求項１】
固定接続されて略８字状に形成された、腕径よりも大径の輪形の第一紐部及び第二紐部と、
前記第一紐部が移動自在に挿通される第一接続部と、
前記第二紐部が移動自在に挿通される第二接続部と、
前記第一紐部及び前記第二紐部を略同一の大きさで固定接続する結合部と、
を有する柔軟な鞄紐と、
前記第一接続部及び前記第二接続部が接続される鞄本体と、
を備え、
前記第一紐部が前記第一接続部に対して、及び、前記第二紐部が前記第二接続部に対してそれぞれ移動することにより、前記結合部が前記鞄本体に接近又は離間することを特徴とする鞄。
【請求項２】
固定接続されて略８字状に形成された、腕径よりも大径の輪形の第一紐部及び第二紐部と、
前記第一紐部及び前記第二紐部を略同一の大きさで固定接続する結合部と、
前記第一紐部が移動自在に挿入される第一接続部、及び、前記第二紐部が移動自在に挿入される第二接続部、が配された鞄本体と、
を備え、
前記第一紐部が前記第一接続部に対して、及び、前記第二紐部が前記第二接続部に対してそれぞれ移動することにより、前記結合部が前記鞄本体に接近又は離間することを特徴とする鞄。
【発明の詳細な説明】
【技術分野】
【０００１】
本発明は、鞄に関する。
【背景技術】
【０００２】
長時間にわたって重い鞄を手提げ状態、肘掛け状態、又は肩掛け状態だけで持ち運ぶ際には、持ち手を交互に換えながらでないと疲れやすい。代わりにリュックサックのような背負い状態では、両肩に負担を分散させることができ、持ち運びしやすい。そこで、手提げ状態又は肩掛け状態だけでなくリュックサックのように背負い状態でも使用できる鞄が提案されている（例えば、特許文献１参照。）。
【０００３】
この鞄は、鞄紐の構造が、肩に掛けたまま重ねた上方のベルトをはずし、反対側の肩にベルトを掛けて、肩掛け使用と背負い使用とをワンタッチで切り替えることができるようになっている。そのため、鞄を使用するときの体調や周囲の状況、内容物の状態によって、把持状態をいろいろと使い分けることができ便利である。
【先行技術文献】
【特許文献】
【０００４】
【特許文献１】実用新案登録第３０３９９６８号公報
【発明の概要】
【発明が解決しようとする課題】
【０００５】
しかしながら、上記従来の鞄紐及び鞄では、実際には肩掛け状態からのワンタッチ操作が難しく、取り扱いづらいといった問題がある。
本発明は上記事情に鑑みて成されたものであり、手提げ状態、肘掛け状態、肩掛け状態、そして、前抱え状態、背負い状態に使い分けることができ、かつこれらを素早く切り替えることができる鞄を提供することを目的とする。
【課題を解決するための手段】
【０００６】
本発明は、上記課題を解決するため、以下の手段を採用する。
本発明に係る鞄は、固定接続されて略８字状に形成された、腕径よりも大径の輪形の第一紐部及び第二紐部と、前記第一紐部が移動自在に挿通される第一接続部と、前記第二紐部が移動自在に挿通される第二接続部と、前記第一紐部及び前記第二紐部を略同一の大きさで固定接続する結合部と、を有する柔軟な鞄紐と、前記第一接続部及び前記第二接続部が接続される鞄本体と、を備え、前記第一紐部が前記第一接続部に対して、及び、前記第二紐部が前記第二接続部に対してそれぞれ移動することにより、前記結合部が前記鞄本体に接近又は離間することを特徴とする。
【０００８】
この発明は、第一接続部及び第二接続部を鞄本体にそれぞれ接続することによって、第一紐部と第二紐部とを把持して、手提げによる持ち運びを行うことができる。また、第一紐部及び第二紐部のそれぞれの輪内に腕を通すことによって、鞄本体を腹側又は背側に抱えて使用することができる。このとき、第一紐部及び第二紐部にかかる力を均等に配分させることができ、体に負担の少ない状態で鞄本体を持ち運ぶことができる。
【００１１】
また、本発明に係る鞄は、固定接続されて略８字状に形成された、腕径よりも大径の輪形の第一紐部及び第二紐部と、前記第一紐部及び前記第二紐部を略同一の大きさで固定接続する結合部と、前記第一紐部が移動自在に挿入される第一接続部、及び、前記第二紐部が移動自在に挿入される第二接続部、が配された鞄本体と、を備え、前記第一紐部が前記第一接続部に対して、及び、前記第二紐部が前記第二接続部に対してそれぞれ移動することにより、前記結合部が前記鞄本体に接近又は離間することを特徴とする。
この発明は、第一紐部を第一接続部に、及び第二紐部を第二接続部に、それぞれ挿入することによって、第一紐部と第二紐部とを把持して、手提げによる持ち運びを行うことができる。また、第一紐部及び第二紐部のそれぞれの輪内に腕を通すことによって、鞄本体を腹側又は背側に抱えて使用することができる。このとき、第一紐部及び第二紐部にかかる力を均等に配分させることができ、体に負担の少ない状態で鞄本体を持ち運ぶことができる。
【発明の効果】
【００１３】
本発明によれば、鞄を手提げ状態、肘掛け状態、肩掛け状態、そして、前抱え状態、背負い状態で使い分けることができ、かつこれらを素早く切り替えることができる。
【図面の簡単な説明】
【００１４】
【図１】本発明の第１の実施形態に係る鞄紐及びこれが配された鞄を示す概要図である。
【図２】本発明の第１の実施形態に係る鞄紐の作用を示す説明図である。
【図３】本発明の第２の実施形態に係る鞄を示す概要図である。
【図４】本発明の第２の実施形態に係る鞄の作用を示す説明図である。
【発明を実施するための形態】
【００１５】
（第１の実施形態）
本発明に係る第１の実施形態について、図１及び図２を参照して説明する。
本実施形態に係る鞄紐１０は、図１に示すように、鞄本体１１と接続されて鞄１２を構成する。
【００１６】
鞄紐１０は、結合部１３によって略８字状になるように接続されて、腕径よりも大径の輪形の第一紐部１０Ａ及び第二紐部１０Ｂが形成されている。そして、鞄紐１０は、第一紐部１０Ａがその周方向に移動自在に挿通された第一ナスカン（第一接続部）１５と、第二紐部１０Ｂがその周方向に移動自在に挿通された第二ナスカン（第二接続部）１６と、を備えている。
【００１７】
第一紐部１０Ａ及び第二紐部１０Ｂは、帯状で皮や布のように柔軟な材質からなる一連の紐が、途中の箇所で結合部１３にて接続されて形成されている。なお、予め腕径よりも大径の輪形に形成された第一紐部１０Ａ及び第二紐部１０Ｂが、結合部１３にて互いに接続されていてもよい。第一紐部１０Ａの途中には、第一紐部１０Ａの長さを変化させる不図示の移動カンが配されていてもよい。同様に、第二紐部１０Ｂの途中には、第二紐部１０Ｂの長さを変化させる移動カンが配されていてもよい。
【００１８】
鞄本体１１には、開口部１１Ａが配され、開口部１１Ａの周囲に第一カン１７及び第二カン１８が配されている。第一カン１７は、第一ナスカン１５と着脱可能に接続され、第二カン１８は、第二ナスカン１６と着脱可能に接続される。
【００１９】
次に、本実施形態に係る鞄紐１０の作用について使用方法とともに説明する。
まず、鞄紐１０の第一ナスカン１５と鞄本体１１の第一カン１７とを接続し、同様に第二ナスカン１６と第二カン１８とを接続して鞄１２とする。この鞄１２を手提げ状態又は肩掛け状態（或いは斜め掛け状態）で使用する場合には、図１に示す状態よりもさらに第一紐部１０Ａ及び第二紐部１０Ｂの輪をつぶしてそれぞれ重ね合わせた状態で、鞄紐１０と鞄本体１１との間に形成される空間内に腕を通して肩に掛ける。この際、必要に応じて移動カンを操作して、第一紐部１０Ａ及び第二紐部１０Ｂの長さをそれぞれ好適な長さに調節しておく。
【００２０】
鞄本体１１を腹側に抱えるように前抱え状態で使用する場合には、鞄本体１１を腹側で抱えた状態で、結合部１３が首の後側になるようにして第一紐部１０Ａ及び第二紐部１０Ｂの輪内に腕を入れる。一方、鞄本体１１を背中側で背負い状態で使用する場合には、図２に示すように、結合部１３が鞄本体１１の開口部１１Ａ近傍まで移動するように、第一ナスカン１５に対して第一紐部１０Ａを、及び第二ナスカン１６に対して第二紐部１０Ｂを相対移動する。そして、鞄本体１１を背側にして第一紐部１０Ａ及び第二紐部１０Ｂのそれぞれの輪内に腕を通す。
【００２１】
この鞄紐１０によれば、第一ナスカン１５を第一カン１７に、及び第二ナスカン１６を第二カン１８にそれぞれ接続することによって、第一紐部１０Ａと第二紐部１０Ｂとを把持して、手提げ又は肩掛けにて鞄１２を持ち運びすることができる。また、第一ナスカン１５及び第二ナスカン１６に対して第一紐部１０Ａ及び第二紐部１０Ｂを相対移動して腕を通すことによって、鞄本体１１を腹側又は背側に抱えて使用することができる。このとき、第一紐部１０Ａ及び第二紐部１０Ｂにかかる力を均等に配分させることができ、体に負担の少ない状態で鞄１２を持ち運ぶことができる。
【００２３】
（第２の実施形態）
次に、第２の実施形態について図３及び図４を参照しながら説明する。
なお、上述した第１の実施形態と同様の構成要素には同一符号を付すとともに説明を省略する。
第２の実施形態と第１の実施形態との異なる点は、本実施形態に係る鞄２０が、略８字状に接続されて腕径よりも大径の輪形の第一紐部２１Ａ及び第二紐部２１Ｂが形成された鞄紐２１と、第一紐部２１Ａが移動自在に挿入された第一接続部２２、及び、第二紐部２１Ｂが移動自在に挿入された第二接続部２３が、それぞれ配された鞄本体２５と、を備えているとした点である。
【００２４】
第一接続部２２及び第二接続部２３は、筒状体となるように鞄本体２５の表面に配されている。第一接続部２２及び第二接続部２３の配設位置は、開口部側でも底側でもよい。
【００２５】
この鞄２０の作用について使用方法とともに説明する。
この鞄２０を手提げ状態又は肩掛け状態（或いは斜め掛け状態）で使用する場合には、第１の実施形態と同様に、鞄紐２１と鞄本体２５との間に形成される空間内に腕を通して肩に掛ける。
【００２６】
鞄本体２５を腹側に抱えるように前抱え状態で使用する場合には、鞄本体２５を腹側で抱えた状態で、結合部１３が首の後側になるようにして、第一紐部２１Ａ及び第二紐部２１Ｂの輪内に腕を入れる。一方、鞄本体２５を背中側で背負い状態で使用する場合には、図２に示すように、結合部１３が鞄本体２５の開口部近傍まで移動するように、第一紐部２１Ａを第一接続部２２に対して周方向に相対移動する。同時に、第二紐部２１Ｂを第二接続部２３に対して周方向に相対移動する。そして、鞄本体２５を背側にして輪径が大きくなった第一紐部２１Ａ及び第二紐部２１Ｂのそれぞれの輪内に腕を通す。
【００２７】
この鞄２０によれば、鞄本体２５と鞄紐２１とが相対移動可能に配されているので、第１の実施形態と同様の効果を奏することができる。
【００２８】
なお、本発明の技術範囲は上記実施の形態に限定されるものではなく、本発明の趣旨を逸脱しない範囲において種々の変更を加えることが可能である。
【符号の説明】
【００２９】
１０，２１，３９  鞄紐
１０Ａ，２１Ａ  第一紐部
１０Ｂ，２１Ｂ  第二紐部
１１，２５  鞄本体
１２，２０，３８  鞄
１３  結合部
１５  第一ナスカン（第一接続部）
１６  第二ナスカン（第二接続部）
２２  第一接続部
２３  第二接続部
【図１】
0005129300.tif 000002
【図２】
0005129300.tif 000003
【図３】
0005129300.tif 000004
【図４】
0005129300.tif 000005